(57)【要約】【課題】  安価でメンテナンスが容易なバックライトを提供する。【解決手段】  少なくとも、光源、導光部材、反射板、複数の光学シート、外枠ケースで構成されるバックライトであって、前記外枠ケースに少なくとも反射板、導光部材、複数の光学シートを重ねて収納するバックライトにおいて、前記外枠ケースの内面の一部に粘着剤を付着し、該粘着剤に少なくとも光学シートの端面を貼着するバックライトとする。【選択図】  図１
2006107824.tif 000002
【特許請求の範囲】
【請求項１】
少なくとも、光源、導光部材、反射板、複数の光学シート、外枠ケースで構成されるバックライトであって、前記外枠ケースに少なくとも反射板、導光部材、複数の光学シートを重ねて収納するバックライトにおいて、前記外枠ケースの内面の一部に粘着剤を付着し、該粘着剤に少なくとも光学シートの端面を貼着することを特徴とするバックライト。
【請求項２】
少なくとも、光源、導光部材、反射板、複数の光学シート、外枠ケースで構成されるバックライトであって、前記外枠ケースに少なくとも反射板、導光部材、複数の光学シートを重ねて収納し、前記導光部材側面に光源を配置するバックライトにおいて、前記外枠ケースの光源配置側内面の一部に粘着剤を付着し、該粘着剤に少なくとも光学シートの端面を貼着することを特徴とするバックライト。
【請求項３】
前記粘着剤が両面接着テープであることを特徴とする請求項１または２記載のバックライト。
【請求項４】
前記粘着剤が反射防止色であることを特徴とする請求項１、２または３記載のバックライト。
【発明の詳細な説明】
【技術分野】
【０００１】
本発明はバックライト関するものである。
【背景技術】
【０００２】
パーソナル・コンピュータ、テレビジョンをはじめビデオムービー、デジタルカメラ、携帯電話等の情報機器の表示装置には、軽量、薄型、低消費電力等の特長を有する液晶表示装置が多く採用されている。そして、これら液晶表示装置には明るい表示画面を実現させるために、バックライト（照明ユニット）により背後から照明光を当てる方式が多く取られている。
【０００３】
当該バックライトは、導光板を表示体裏面に設置し、該導光板の側面に蛍光放電管やＬＥＤ等の光源を配置したエッジライト方式と光源を前記導光板の裏面に設置する直下型方式に大別される。薄型化と輝度均一性を重視する傾向が多く、エッジライト方式の採用が多い。
【０００４】
ここで、従来技術による冷陰極放電管を光源に用いたエッジライト方式のバックライトについて説明する。図３は従来技術による冷陰極放電管を光源に用いたエッジライト方式のバックライトの分解斜視図である。
【０００５】
バックライトは、導光板１２と、導光板１２の長辺の端面に配置され、光源となる冷陰極放電管を備えたランプユニット１４と、前記冷陰極放電管を被覆し光を導光板１２に入射させるリフレクタ１５と、導光板１２の背面側に実装され、入射光を反射させる反射シート１３と、導光板１２の照光面側に実装され、入射光を拡散または集光させる４枚の光学シート３１、３２、３３、３４と、これらの構成部材を抱持して収納する筐体２1と、その筐体２1と嵌合されるかあるいはネジ止めされることにより、筐体２１との間に前記構成部材を挟持するフレーム板２８によって構成されている。
【０００６】
導光板１２の照光面側に実装された４枚の光学シートは、導光板１２の側から、第１の光学シート３１、第２の光学シート３２、第３の光学シート３３、第４の光学シート３４の順に積層されている。これら４枚の光学シートは、導光板１２と第１の光学シート３１の一方の短辺側の端部のみにこの短辺に沿って粘着剤１１を塗布し、該第１の光学シート３１を導光板１２に貼着するとともに、第２の光学シート３２の他方の短辺側の端部のみにこの短辺に沿って粘着剤１１を塗布し、該第２の光学シート３２を第１の光学シート３１に貼着することにより、固定されている。さらにまた、第３の光学シート３３の一方の端部のみにこの短辺に沿って粘着剤１１を塗布し、該第３の光学シート３３を第２の光学シート３２に貼着するとともに、第４の光学シート３４の他方の短辺側の端部のみにこの短辺に沿って粘着剤１１を塗布し、該第４の光学シート３４を第３の光学シート３３に貼着することにより、固定されている。
【０００７】
しかしながらこのような構成の従来のバックライトにおいては、前記各光学シートは接着剤１１により隣合う光学シートあるいは導光板６に固定するものであるため、光学シートの固定作業が煩雑で大変に面倒であるという問題があった。このため前述のような構成の従来のバックライト装置においては、光学シートの収納、固定作業が複雑になってしまう。また、メンテナンスを行う際に、導光板または光学シートを交換する場合に、導光板または光学シートを剥がす作業が非常に面倒であり、しかも、これらの剥離作業を行うときに、交換する必要のない光学シートまで損傷してしまう恐れがある。このため、導光板または光学シートの交換を行うときには、慎重に剥離作業を行わなければならず、メンテナンスに要する時間が長くなり、メンテナンスコストが高くなってしまうという問題もあった。
【０００８】
前記問題を解決するものとして、以下に説明する構造が開発されている。図２は、従来技術による冷陰極放電管を用いたエッジライト方式バックライトの分解斜視図である。このバックライトは、入射光を多重反射し面光源となる導光板２６と、この導光板２６のいずれかの端面に配置され、光源としての冷陰極放電管を有するランプユニット２９と、前記冷陰極放電管を被覆し光を上記導光板２６に入射させるリフレクタ３０と、導光板２６の背面側に実装され、入射光を反射させる反射シート２７と、導光板２６の照光面側に積層され、入射光を拡散または集光させる複数枚（図面では４枚）の光学シート４１、４２、４３、４４と、これら構成部材を収納する筐体５１と、筐体５１に嵌合されるか、あるいは筐体５１に固定部材により取り付けられて、筐体５１との間に前記構成部材を保持するフレーム板５８から概略構成されている。
【０００９】
ランプユニット２９は、上記冷陰極放電管をケーブルとコネクタで組立したものである。筐体５１は、有底の矩形状枠体であり、対向する側壁には、光学シートの位置決めおよび保持するための横穴（嵌合穴）５２が形成されている。この実施形態では、筐体５１の各側壁の略中央部に横穴５２が形成されている。また、光学シート４１〜４４のうち筐体５１と隣接する第４の光学シート４４の縁部には、前記筐体５１の横穴５２に対応する突起部（嵌合凸部）５３が形成されている。この形態では、第４の光学シート４４の各辺の略中央部に外方に張り出す突起部５３が形成されている。
【００１０】
そして、第４の光学シート４４は、その各突起部５３をこれに対応して設けられた横穴５２に差し込むことにより、筐体５１の枠体内に収容、保持されており、他の光学シート４１、４２、４３は、この第４の光学シート４４の導光板２６側の面上に光学シート４４側から第３の光学シート４３、第２の光学シート４２、第１の光学シート４１の順に積層されている。また、第４の光学シート４４の突起部５３が形成されていない部分の外縁５４と、筐体５１の側壁との間には光学シートの撓みを防止するのに十分なクリアランスが設けられている。なお、この形態においては、第１〜第３の光学シート４１〜４３には、横穴５２に差し込まれる突起部５３が設けられていないが、第１〜第３の光学シート４１〜４３の各外縁５５と、筐体５１の側壁との間には光学シートの撓みを防止するのに十分なクリアランスが設けられている。
【００１１】
この形態のバックライトにあっては、筐体５１の側壁に光学シートの位置決めおよび保持するための横穴５２が形成され、筐体５１と隣接する第４の光学シート４４に突起部５３が設けられ、該突起部５３が筐体５１の横穴５２に差し込まれたことにより、両面テープや接着剤等を使用することなく、第４の光学シート４４が筐体５１に保持されており、また、第４の光学シート４４の突起部５３が形成されていない部分の外縁５４と筐体５１の枠部である側壁との間のクリアランスが十分に確保でき、また、第１〜第３の光学シート４１〜４３の突起部５３が形成されていない部分の外縁５５と筐体５１の枠部である側壁との間のクリアランスが十分に確保でき、よって、バックライト使用時の温度変化に伴い光学シートが膨張した際でも筐体５１の側壁と干渉しないため、バックライト装置使用時の光学シートの撓みを防止できる。従って、このようなバックライトを備えた液晶表示装置によれば、温度変化に伴う光学シートの撓みに起因する表示ムラを防ぐことができ、良好な表示が得られる。
【００１２】
また、この実施形態のバックライトにあっては、光学シート４４の突起部５３を筐体５１の横穴５２に差し込むことで、第４の光学シート４４は筐体５１に十分保持されているので、このバックライト装置及びこれを用いた液晶表示装置等の機器に物理的な衝撃が印加された時に光学シートの脱落による表示ムラを防ぐことができる。また、この形態のバックライトにあっては、筐体５１の側壁に横穴５２を形成し、第４の光学シート４４に突起部５３を設けるようにしただけで、第４の光学シート４４が保持できるので、両面テープや接着剤等を用いて導光板に光学シートを貼着したり、隣合う光学シートを貼着しなくても済み、導光板と光学シートの収納、固定の作業の簡略化が可能である。
【００１３】
また、このバックライトに実装された光学シート４１〜４４は、両面テープや接着剤等により固定されていないので、メンテナンスを行う際などに導光板または光学シートを交換する場合に、前記導光板または光学シートを剥がす作業が不要で、第４の光学シート４４は横穴５２から突起部５３を抜くことにより容易に筐体５１から取り外すことができ、また、第１〜第３の光学シート４１〜４３は、導光板２６と第４の光学シート４４の間に挟まれているだけであるので、筐体５１とフレーム５８を離間することで、容易に取り外すことができ、従って、導光板や光学シートを交換する作業の簡略化が可能である。さらに、この形態のバックライトにあっては、筐体５１の側壁に横穴５２を形成し、該横穴５２に光学シートの突起部５３を差し込むようにしたことで、バックライト使用時の光学シートの撓みを防止できるうえバックライト装置及びこれを用いた液晶表示装置等の機器に物理的な衝撃が印加された時に光学シートの脱落を防止できるので、このような効果を得るためにバックライトの外形を大きくしなくも済み、小型化が可能である。（例えば特許文献１、特許文献２）
【００１４】
【特許文献１】特開平９−１２７８９５号公報
【特許文献２】特開２０００−１９５１２号公報
【発明の開示】
【発明が解決しようとする課題】
【００１５】
接着による問題を解決した前記従来技術ではあるが、光学シートを固定するために光学シートに突起部を設けたり、筐体に突起受け部や穴加工等をする必要があり、金型構造が複雑化し、バックライトのコストアップになっている。本発明は前記課題を解決し、外枠ケース構造を簡素化でき、安価でメンテナンスが容易なバックライトを提供することを目的としている。
【課題を解決するための手段】
【００１６】
少なくとも、光源、導光部材、反射板、複数の光学シート、外枠ケースで構成されるバックライトであって、前記外枠ケースに少なくとも反射板、導光部材、複数の光学シートを重ねて収納するバックライトにおいて、前記外枠ケースの内面の一部に粘着剤を付着し、該粘着剤に少なくとも光学シートの端面を貼着するバックライトとする。
【００１７】
少なくとも、光源、導光部材、反射板、複数の光学シート、外枠ケースで構成されるバックライトであって、前記外枠ケースに少なくとも反射板、導光部材、複数の光学シートを重ねて収納し、前記導光部材側面に光源を配置するバックライトにおいて、前記外枠ケースの光源配置側内面の一部に粘着剤を付着し、該粘着剤に少なくとも光学シートの端面を貼着するバックライトとする。
【００１８】
前記粘着剤が両面接着テープであるバックライトとする。
【００１９】
前記粘着剤が反射防止色であるバックライトとする。
【発明の効果】
【００２０】
請求項１の発明によると、外枠ケースの内面の一部に粘着剤を付着し、該粘着剤に光学シートの端面を貼着するので、粘着強度は弱いが、光学シートの位置決め固定はでき、光学シート同士は接着しないので剥離するのも容易となる。外枠ケースの構造も簡素化できコストダウンが可能である。
【００２１】
請求項２の発明によると、バックライトの光源側で光学シートを固定するので、光学シート端面より散乱される光の乱反射起因の輝度ムラを低減することができる。
【００２２】
請求項３の発明によると、粘着剤が両面テープのため外枠ケースへの付着が容易に、安定してできる。
【００２３】
請求項４の発明によると、粘着剤での反射による輝度ムラを防止することができる。
【発明を実施するための最良の形態】
【００２４】
少なくとも、光源、導光部材、反射板、複数の光学シート、外枠ケースで構成されるバックライトであって、前記外枠ケースに少なくとも反射板、導光部材、複数の光学シートを重ねて収納するバックライトにおいて、前記外枠ケースの内面の一部に粘着剤を付着し、該粘着剤に少なくとも光学シートの端面を貼着するバックライトとする。
【実施例１】
【００２５】
図１は本発明によるバックライトの実施例で、光源に冷陰極放電管を用いたエッジライト式バックライトの分解斜視図である。導光板３と、導光板３の長辺の端面に
光源となる冷陰極放電管を備えたランプユニット８と、前記冷陰極放電管を被覆し光を導光板３に入射させるリフレクター９と、導光板３の背面側に実装され、入射光を反射させる反射シート２と、導光板３の照光面側に実装され、入射光を拡散または集光させる４枚の光学シート４、５、６、７と、これらの光学シートを外枠ケース１に固定するための粘着剤１０によって構成されている。
【００２６】
反射シート２、ランプユニット８を備えた導光板３、光学シート４、５、６、７は順番に外枠ケース１に収納されるが、その際、前記光学シートはその端面を粘着剤１０に当接させ端面のみで固定する。粘着剤の粘着強度にもよるが、光学シートが動かないように固定することは容易にできる。外枠ケース１内面と各構成部材の外周とのクリアランスを確保することは従来技術と同様である。本実施例によると、バックライトの使用時に光学シートの膨張による撓み等の発生が防止できるとともに、導光板または光学シートの交換が必要となるメンテナンスの時も、光学シート間の剥離は必要なく、容易に光学シートを剥がすことが可能で、組立、分解時の破損を解消できメンテナンスの時間短縮ができる。また、光学シート４、５、６、７を位置決めし、固定するために、外枠ケース１に突起受け部や穴加工等をする必要がなく、ケース及び光学シートの金型構造が簡素化できる。
【００２７】
また、本実施例において、光学シート４、５、６、７を光源となる冷陰極放電管を備えたランプユニット８側の外枠ケース１に接着することで光学シートの端辺から入射した光の乱反射を防止することができるため、輝度ムラを抑える効果が期待できる。
【００２８】
ここで外枠ケース１と光学シート４、５、６、７の粘着剤１０には接着剤が一般的に考えられるが、両面テープのように厚みの一定したものは扱いが容易で簡単に貼合することが可能である。両面テープの場合は、外枠ケース１やランプユニット８、リフレクター９等の交換が必要になるようなメンテナンスの時間も大幅に削減できる。粘着剤１０は全面に形成されているが、部分的に形成してもよい。
【００２９】
さらにこの粘着剤１０の色を灰色若しくは黒色に着色することにより、光学シートの端辺から入射した光の乱反射を部分的若しくは全面的に吸収させ、輝度ムラを抑える効果が期待できる（この場合は、粘着剤１０は全面に形成されているほうがよい）。
【実施例２】
【００３０】
図４は本発明によるバックライトの実施例で、光源にＬＥＤを用いたエッジライト式バックライトの分解斜視図である。導光板６２と、導光板６２の長辺の端面にはＦＰＣ基板６９上に光源となるＬＥＤ６８を３個備えたＬＥＤユニット６７と、これを導光板６２に固定させる白色テープ７０と、導光板６２の背面側に実装され、入射光を反射させる反射シート６１と、導光板６２の照光面側に実装され、入射光を拡散または集光させる４枚の光学シート６３、６４、６５、６６と、これらの光学シートを外枠ケース６０に固定するための粘着剤７１によって構成されている
【００３１】
反射シート６１、ＬＥＤユニット６７を備えた導光板６２、光学シート６３、６４、６５、６６は順番に外枠ケース６０に収納されるが、その際、前記光学シートはその端面を粘着剤７１に当接させ端面のみで固定する。粘着剤の粘着強度にもよるが、光学シートが動かないように固定することは容易にできる。外枠ケース６０内面と各構成部材の外周とのクリアランスを確保することは従来技術と同様である。本実施例によると、バックライトの使用時に光学シートの膨張による撓み等の発生は防止できるとともに、導光板または光学シートの交換が必要となるメンテナンスの時も、光学シート間の剥離は必要なく、容易に光学シートを剥がすことが可能で、組立、分解時の破損を解消できメンテナンスの時間短縮ができる。また、光学シート６３、６４、６５、６６を位置決めし、固定するために、外枠ケース６０に突起受け部や穴加工等をする必要がなく、外枠ケース６０及び光学シートの金型構造が簡素化できる。
【００３２】
また、本発明の実施形態において、光学シート６３、６４、６５、６６を光源となるＬＥＤユニット６７側の外枠ケース６０に接着することで光学シート６３、６４、６５、６６の端辺から入射した光の乱反射を防止することができるため、輝度ムラを抑える効果が期待できる。
【００３３】
ここでケース６０と光学シート６３、６４、６５、６６の粘着剤７１には接着剤が一般的に考えられるが、両面テープのような材質も簡単に貼合することが可能である。両面テープの場合は、外枠ケース６０や光学シート６３、６４、６５、６６の交換が必要になるようなメンテナンスの時間も大幅に削減できる。
【００３４】
さらにこの粘着剤７１の色を灰色若しくは黒色に着色することにより、光学シート６３、６４、６５、６６の端辺から入射した光の乱反射を部分的若しくは全面的に吸収させ、輝度ムラを抑える効果が期待できる。
【図面の簡単な説明】
【００３５】
【図１】本発明の実施の形態にかかる冷陰極放電管を光源に用いたエッジライト方式バックライトの分解斜視図
【図２】従来技術による冷陰極放電管を用いたエッジライト方式バックライトの分解斜視図
【図３】従来技術による冷陰極放電管を光源にエッジライト方式のバックライトの分解斜視図
【図４】本発明の実施の形態にかかるＬＥＤを光源に用いたエッジライト方式バックライトの分解斜視図
【符号の説明】
【００３６】
１    外枠ケース
２    反射シート
３    導光板
４    光学シート
５    光学シート
６    光学シート
７    光学シート
８    ランプユニット
９    リフレクター
１０    粘着剤
１１    粘着剤
１２    導光板
１３    反射シート
１４    ランプユニット
１５    リフレクター
２１    筐体
２６    導光板
２７    反射シート
２８    フレーム板
２９    ランプユニット
３０    リフレクタ
３１    光学シート
３２    光学シート
３３    光学シート
３４    光学シート
４１    光学シート
４２    光学シート
４３    光学シート
４４    光学シート
５１    筐体
５２    横穴
５３    突起部
５４    外縁
５５    外縁
５８    フレーム
６０    外枠ケース
６１    反射シート
６２    導光板
６３    光学シート
６４    光学シート
６５    光学シート
６６    光学シート
６７    ＬＥＤユニット
６８    ＬＥＤ
６９    ＦＰＣ基板
７０    白色テープ
７１    粘着剤
【図１】
2006107824.tif 000003
【図２】
2006107824.tif 000004
【図３】
2006107824.tif 000005
【図４】
2006107824.tif 000006